(57)【要約】クリップの係止状態が落下等に際してかかる外力に対しては外れにくく、かつ、使用者の使用に際しては外しやすい、という技術的課題を解決したＢタイプのクリップに関するものである。  該クリップは、アーム間に可撓性の中空部材で構成される被挟持物を押圧保持し独立した別空間を形成可能な対向した挟持アーム、および該対向した挟持アーム間に前記被挟持物を押圧保持状態で該挟持アームを係止可能な係止部を有する係止手段を前記対向した挟持アームの一端部に備えたクリップであって、挟持アームから外方向に向かう外力によって前記係止を解除できる係止解除手段を有し、かつ前記係止手段が前記係止解除手段により加えられる係止解除力を、係止部の係止を解除する方向に作用させる支点部を有する構造のものであることを特徴とするクリップ。
2004037158.tif 000002
【特許請求の範囲】
【請求項１】
アーム間に可撓性の中空部材で構成される被挟持物を押圧保持し独立した別空間を形成可能な対向した挟持アーム、および該対向した挟持アーム間に前記被挟持物を押圧保持状態で該挟持アームを係止可能な係止部を有する係止手段を前記対向した挟持アームの一端部に備えたクリップにおいて、挟持アームから外方向に向かう外力（以下、係止解除力ともいう）によって前記係止を解除できる係止解除手段を有し、かつ前記係止手段が前記係止解除手段により加えられる係止解除力を、係止部の係止を解除する方向に作用させる支点部を有する構造のものであることを特徴とするクリップ。
【請求項２】
前記係止手段が前記挟持アームの両端部に設けられていることを特徴とする請求項１記載のクリップ。
【請求項３】
前記係止手段の係止部を前記支点部より係止解除手段側に設けたことを特徴とする請求項１または２記載のクリップ。
【請求項４】
係止手段が雄部材と雌部材を備えた係止部と挟持アームの一方先端部に形成された前記係止解除手段によって前記支点部を支点として揺動可能な弾性片で構成され、かつ前記雄部材あるいは雌部材の一方が前記弾性片の先端部に形成され、また、前記雄部材あるいは雌部材の他方が、挟持アームの他方先端部に形成されたことを特徴とする請求項１、２または３に記載のクリップ。
【請求項５】
前記係止解除手段と係止手段が一体的に成形されたものであることを特徴とする請求項１、２、３または４に記載のクリップ。
【請求項６】
前記係止解除手段、係止手段、および挟持アームが一体的に成形されたものであることを特徴とする請求項５に記載のクリップ。
【請求項７】
前記係止解除手段が、先端部が前記係止手段の弾性片に連結した帯状弾性片であることを特徴とする１、２、３、４、５または６に記載のクリップ。
【請求項８】
前記係止解除手段が、前記係止手段の弾性片に連結した帯状弾性片と一体的に成形されたプルタブを有して構成されるものであることを特徴とする請求項７に記載のクリップ。
【請求項９】
前記係止解除手段が、糸状物あるいは前記係止手段の弾性片に連結した糸状物で構成されるものであることを特徴とする請求項１、２、３、４、５、６または７に記載のクリップ。
【請求項１０】
前記係止手段が形成された対向した挟持アームの他端は揺動可能に軸支連結した構造であることを特徴とする請求項１、３、４、５、６、７、８または９記載のクリップ。
【請求項１１】
前記係止手段が形成された挟持アームは、係止手段が形成された側とは反対側他端に、該挟持アームと一体成形して形成されたヒンジにより揺動可能に連結した構造であることを特徴とする請求項１、３、４、５、６、７、８または９に記載のクリップ。
【請求項１２】
少なくとも挟持アームがポリオキシメチレン樹脂にガラス繊維を混入した樹脂で構成されたことを特徴とする請求項１、３、４、５、６、７、８、９、１０または１１に記載のクリップ。
【発明の詳細な説明】
【技術分野】  この発明は、チューブの閉塞、あるいは可撓性の中空部材、例えば袋状物の開口部を閉塞または複数の区画室に仕切るのに用いる２液分割用クリップ（以下、単にクリップともいう）に関する。
前記袋状物としては、たとえば輸液バッグ等の医療用・医薬用バッグ等が挙げられるが、必ずしも医療用・医薬用バッグに限られるものではなく、該クリップによって可撓性の中空部材を、閉止あるいは独立した空間を形成する必要がある分野に使用できる。
【背景技術】  輸液バッグや透析液バッグ等に用いられる医療用・医薬用バッグにおいて液室を区画するために使用するクリップとして、実公平５−８９９８号公報に開示されたものがある。これは、別個に形成された２つのクリップ片の両端部に、互いを固定する係合部がそれぞれ設けてあり、各クリップ片の両端の所定範囲を除く中央長手方向に輸液バッグの両面を挟持する直線状押え部を形成した構成になっていた。
また、チューブや袋体を挟んで被挟持物の内部空間を液体密に封止するクランプとして、特公平４−１９３１７９号公報に開示されたものがある。これは、クランプの一端に位置し２つの板状部材を着脱自在に結合する係合手段と、その内面に長手方向に互いに平行な押圧突条を有する二つの板状部材からなる挟持部と、該挟持部を該挟持物を挟持した状態に維持する着脱自在な係止手段と、クランプの他端に位置し指などで把持して前記挟持部に該挟持物を挟みこむ力を付与するためのための把持部とから構成されるものである。
また、チューブや袋体を挟んで被挟持物の内部空間を液体密に封止するクランプとして、特開２０００−２２９６４８号公報に開示されたものがある。これは、被挟持物の所定部を両面から挟持するクリップであって、一対の挟持杆をその一端部で着脱可能かつ揺動可能に軸支連結する。両挟持杆の他端部を係合手段で係止固定可能に構成する。第２挟持杆の第１挟持杆への対向面に挟持杆の長手方向に沿う嵌着溝を形成する。この嵌着溝に挿嵌して側壁部分に当接する嵌入条部を第１挟持杆の第２挟持杆への対向面に突出形成する。第２挟持杆の嵌着溝と、この嵌着溝に挿嵌した第１挟持杆の嵌入条部との間で被挟持物の膜材を圧着保持する構成のものである。また、袋の口など封止するクランプとして、特公平２−６０５８０号公報に開示されたものがある。これは、２本のリムがヒンジ結合により対向しているはさみ込み手段と、リムの自由端に設けられたロック要素とを備えたクリップにおいて、リムには、リムに対向する側に弾性的に押圧できる脚を備え、リム２には、はさみ込む対象物と共に前記脚を受け入れることのできる幅広の口と、脚３を幅狭の奥部に案内するテーパー内壁面とを持ったチャンネルを備えて構成されるものである。
上述のように、チューブあるいは可撓性中空部材、例えば袋状物などの被挟持物を挟持するクリップに関しては、前記のように種々のものが公開されている。
ただ、前記クリップ、特に袋状物、例えばプラスチックバッグ用のクリップについては、その係止手段を押圧する部分と一体的に持つタイプ（以下、Ａタイプという）と、押圧する部分とは異なる部位に持つタイプ（以下、Ｂタイプという）とがある。Ａタイプは気密機能に優れる反面、その製造、開封性に問題がある。一方Ｂタイプは、製造、開封操作性に優れる反面、気密機能を確保することが難しい。
また、Ｂタイプのクリップの場合、クリップが長手方向に延長されると、この気密機能を確保するため係止手段を強化せざるを得ず、開封および閉止などに際して大きな力を要するなどの操作性の悪化を招く。この操作性を改善しようとすると、落下などで起こる衝撃が操作部位に加わることで簡単に外れるようになってしまう。すなわち、Ｂタイプのクリップの場合、「落下などで起こる衝撃力によっては外れにくく、かつ使用者の使用に際しては外しやすい」という相反する技術的課題を解決しなければならないという問題があり、この問題は、解決することが当業者にとって困難な問題であった。
本発明は、前記問題点を解決した２液分割用クリップを提供することを目的とする。
【発明の開示】
クリップの係止の解除に際して、挟持アームに外方向からの外力が加えられる従来のクリップでは、この力（以下、係止解除力ともいう）の方向は落下などの外部衝撃力の力方向と同じであるので、落下などによりクリップの係止が開放されてしまうので、本発明者はこの課題を解決し、落下などの外部衝撃力によっては外れにくく、かつ、使用者がその使用に際しては外しやすいという前記課題を解決したクリップを提供するためには、クリップの係止手段を挟持アームから外方向に外力を加えることによって係止を解除できる構造（したがって、クリップの閉止は外方向から挟持アームに外力を加えることによって行なわれる）のものとすれば良いこと、および該構造として係止手段に加えられる係止解除力を、係止部にその係止を解除する方向に作用させる支点部を有する構造のものであれば良いことを見出し、本発明に到達することができた。
すなわち、本発明は、アーム間に可撓性の中空部材で構成される被挟持物を押圧保持し独立した別空間を形成可能な対向した挟持アーム、および該対向した挟持アーム間に前記被挟持物を押圧保持状態で該挟持アームを係止可能な係止部を有する係止手段を前記対向した挟持アームの一端部に備えたクリップにおいて、挟持アームから外方向に向かう外力（以下、係止解除力ともいう）によって前記係止を解除できる係止解除手段を有し、かつ前記係止手段が前記係止解除手段により加えられる係止解除力を、係止部の係止を解除する方向に作用させる支点部を有する構造のものであることを特徴とするクリップにある。
前記係止手段は前記挟持アームの一端部あるいは両端部に設けられ、また、挟持アームから外方向に向かう外力とは、下記図１に示すような矢印方向の力を言う。
また、本発明者は、前記技術課題の解決のためには、前記のクリップにおいて、前記係止手段の係止部を前記支点部より係止解除手段側に設けることがより有効であることも見出した。すなわち、本発明は前記係止手段の係止部を前記支点部より係止解除手段側に設けた構造のものとしたことを特徴とするクリップにある。このような構造を採用することにより、挟持アームから外方向に向かう係止解除力によっても、係止手段の解除を極めて容易に行うことができ、かつ外部衝撃力などの外方向から挟持アーム方向の力に対して、係止をより安全に保持することができる。
また、本発明者は、前記技術課題の解決のためには、前記各クリップにおいて、係止手段の係止部が雄部材と雌部材で構成され、かつ、前記雄部材あるいは雌部材の一方が、（挟持アームの一方先端部に形成された）前記係止解除手段によって前記支点部を支点として揺動可能な弾性片の先端部に形成され、また、前記雄部材あるいは雌部材の他方が、挟持アームの他方先端部に形成されたことを特徴とするクリップが有効であることを見出した。すなわち、本発明のクリップは、前記各クリップにおいて、係止手段が雄部材と雌部材を備えた係止部と挟持アームの一方先端部に形成された前記係止解除手段によって前記支点部を支点として揺動可能な弾性片で構成され、かつ前記雄部材あるいは雌部材の一方が前記弾性片の先端部に形成され、また、前記雄部材あるいは雌部材の他方が、挟持アームの他方先端部に形成されたことを特徴とするクリップにある。このクリップは、前記係止解除手段によって、前記支点部を支点として前記弾性片を揺動させることにより、前記係止部の係止を開放することができる。
本発明のクリップにおいて、前記係止解除手段と係止手段、あるいは前記係止解除手段、係止手段、および挟持アームが一体的に成形されたものが好ましい。
また、前記係止解除手段としては、先端部が前記係止手段の弾性片に連結した帯状弾性片で構成されたもの、前記係止手段の弾性片に連結した帯状弾性片と一体的に成形されたプルタブを有して構成されたもの、あるいは前記係止手段の弾性片に連結した帯状弾性片と該帯状弾性片に連結された糸状物で構成されたものが挙げられる。
本発明のクリップにおいて、前記係止手段が形成された挟持アームの他端は揺動可能に軸支連結した構造、あるいは係止手段が形成された側とは反対側他端に、該挟持アームと一体成形して形成されたヒンジにより揺動可能に連結した構造である。
【図面の簡単な説明】  第１図は本発明のクリップの挟持アーム、係止部材および係止解除部材の構成を説明した図である。第２図は本発明のクリップの挟持アーム、係止部材および係止解除部材の別の態様（係止解除部材として糸状物）の構成を説明した図である。第３図は本発明のクリップの係止部材および係止解除部材付近を示す拡大図である。
【発明を実施するための最良の形態】挟持アーム
本発明のクリップを構成する図１および２に示す対向した挟持アーム５，１０を構成する合成樹脂の種類は特に制限されるものではないが、本発明のクリップに要求されるヒンジ特性とチューブあるいは可撓性中空部材の気密性確保に要求される剛性両立の理由から、ポリオキシメチレン樹脂（以下、ＰＯＭという）、ポリプロピレン樹脂（以下、ＰＰ樹脂という）、ポリカーボネート樹脂（以下、ＰＣ樹脂という）あるいはこれら樹脂にガラス繊維（以下、ＧＦという）、炭素繊維（以下、ＣＦという）などの補強材を混入させたものが好ましい。
これら樹脂と補強材の組み合わせとしては、ＧＦあるいはＣＦ入りＰＯＭ（以下、ＰＯＭ＋ＧＦあるいはＰＯＭ＋ＣＦという）、ＧＦあるいはＣＦ入りＰＰ（以下、ＰＰ＋ＧＦあるいはＰＰ＋ＣＦという）、ＧＦあるいはＣＦ入りＰＣ（以下、ＰＣ＋ＧＦあるいはＰＣ＋ＣＦという）等が挙げられるが、上述のようなヒンジ特性とチューブあるいは可撓性中空部材の気密性確保に要求される剛性両立という観点から、ＰＯＭ＋ＧＦが特に好ましい。
前記対向する挟持アーム５，１０は、図２に示すように係止手段が存在しない自由端を揺動可能に軸支連結（６，７）するか、あるいは別の態様として前記第１の発明のように、係止手段が存在しない自由端に該挟持アームと一体成形して形成されたヒンジにより揺動可能に連結するか（図示せず）、または前述のような軸支連結（６，７）あるいはヒンジのような挟持アームの結合手段を別に設けることなく、各挟持アーム５，１０は、その両端部に上述のような本発明の主要特徴点の１つである係止手段を有し、各挟持アーム５，１０を互いに係止できる構造のものであっても良い。
挟持アーム５，１０は、対向した一方の挟持アーム１０の他方の挟持アーム５への対向面に挟持アームの長手方向に沿って下記嵌入突条部８が挿嵌できる嵌着溝９、また、前記他方の挟持アーム５の前記一方の挟持アーム１０への対向面に前記嵌着溝９に挿嵌する嵌入突条部８を有する構造としても良い。このような構造としては、前記従来技術の欄に記載した公知技術、例えば特公平２−６０５８０号公報に記載のものが挙げられる。
係止手段
係止手段は、係止部、および下記係止解除手段により加えられる係止解除力を係止部の係止を解除する方向に作用させる支点部を少なくとも有して構成され、かつ下記係止解除手段によって前記係止部の係止を解除できる構造のものである。
係止手段は、図１〜２に示すように
（１）係止部が雄部材２および該雄部材２と係止可能な突起部で形成される雌部材１１と透孔１５とで構成され、
（２）帯状弾性片１２とプルタブ４で構成される係止解除手段により揺動可能で、かつ該係止解除手段により加えられる係止解除力を、前記係止部の前記フック状の雄部材２と雌部材１１の係止を解除する方向に作用させる支点部３を形成した弾性片１を有し、
（３）前記フック状の雄部材２が前記弾性片１の先端部に形成され、また透孔１５と突起部１１の雌部材１１が他方の挟持アーム１０の一方先端部に形成され、かつ、
（４）前記フック状の雄部材２および雌部材１１と透孔１５とで形成される係止部を前記支点部３より前記係止解除手段側に設けた構造のものが挙げられる。
前記透孔１５に代えて、該部分を窪みのような凹部形状のものであってもよい。
また、この係止手段は、図１に示すＡとは反対側、すなわち、挟持アーム５、１０の内側に外力を加えることによって、本発明のクリップを挟持状態にすることができる。
また、前記係止手段と挟持アームが一体成形して作製されたものが好ましく、またこれらを形成する樹脂としては、上述の挟持アームを形成する樹脂として好適な樹脂を採用するのが好ましい。
係止解除手段
係止解除手段は、前記係止手段に結合し、係止解除力を前記係止手段に伝達し、その支点部３を介して、前記係止部の前記フック状の雄部材２と雌部材１１の係止状態を解除させる機能を発揮するものである。
また、係止解除手段を構成する材料としては、外部からの衝撃力を係止部分に伝達しにくい材料であるのが好ましく、また解除操作力が容易に係止部分に伝達されるの材料が好ましいため、可撓性を有する材料が好ましい。
係止解除手段の構成としては、例えば
（１）係止手段の弾性片１に連結する可撓性を有する合成樹脂製の帯状弾性片１２で構成されるもの、
（２）係止手段の弾性片１に連結する帯状弾性片１２にプルタブ４を連結して構成されるもの（図１）
（３）糸状物１３あるいは前記係止手段の前記弾性片１２に連結した糸状物で構成されるもの（図２）
前記係止解除手段に図１に示すＡ方向、すなわち、挟持アーム５，１０に対して外側方向に使用者が力を加えることによって、前記フック状の雄部材２と雌部材１１の係止状態を解除させることができ、逆に前記クリップを落下させる場合に、該クリップにかかる図１に示すＡ方向、すなわち、挟持アーム５，１０に対して内側方向にかかる外部衝撃力に対しては前記係止状態が解除されず、安全である。
図１に示すクリップは、係止解除手段としてプルタブ、図２に示すクリップは、係止として糸状物を用いているが、前記のプルタブ、あるいは糸状物を用いることにより、少ない力でクリップの係止解除を行うことができ、かつ、挟持アーム５，１０に対して内側方向にかかる外部衝撃力に対しては前記係止状態がより安全である。
本発明のクリップは、係止解除手段として糸状物を理由する場合以外、前記挟持アーム、該挟持アームの係止手段、および該係止手段を解除する係止手段解除手段は一体成形されていることが製作上、好ましいが、一体成形されないものであっても良い。
また、本発明のクリップで係止解除手段、あるいは係止解除手段の部材を構成する部材として用いる前記糸状物１３、あるいは該糸状物をループ状にしたもの、例えば『輪ゴム』のようなものは、外部からの衝撃力を係止部分に伝達しにくい、という点で特に優れた効果を奏することができる。
また、前記糸状物１３の係止解除力を加える側に図２に示すようにプルタブのようなリング１４を結合しても良い。
産業上の利用性
以上のように、本発明にかかるクリップは、可撓性の中空部材、たとえば輸液バッグ等の医療用・医薬用バッグ等を、閉止あるいは独立した空間を形成する必要がある分野のクリップとして有用であり、落下などの外部衝撃力に対しては挟持状態が維持でき安全でありながら、使用者がその使用に際しては、その挟持状態を少ない力で係止の係止解除を行える、という優れた効果を奏する。
【図１】
2004037158.tif 000003
【図２】
2004037158.tif 000004
【図３】
2004037158.tif 000005
【国際調査報告】
2004037158.tif 000006
2004037158.tif 000007